(57)【特許請求の範囲】
【請求項１】
被写体までの撮影距離を検出する測距センサと、前記被写体に焦点を合わせる自動焦点調節手段とを備えたカメラのレリーズ操作制御装置において、
レリーズ時に、前記測距センサにより検出された前記撮影距離が前記自動焦点調節手段の合焦可能な範囲外であると判断された際に警告表示を行い、
警告表示中に所定時間以上レリーズ操作を持続したときに撮影動作が実行されることを特徴とするレリーズ操作制御装置。
【請求項２】
請求項１に記載のレリーズ操作制御装置において、レリーズ操作のためにレリーズ釦及びレリーズスイッチが設けられ、前記レリーズ釦の押下により前記レリーズスイッチが撮影動作を実行すべくオンされるようになっており、前記撮影距離が前記自動焦点調節手段の合焦可能な範囲外であるとき前記レリーズスイッチのオンが前記所定時間にわたって無効化されることを特徴とするレリーズ操作制御装置。
【請求項３】
請求項２に記載のレリーズ操作制御装置において、前記測距センサを作動させる測距用スイッチが設けられ、前記レリーズ釦を半押ししたとき、前記測距用スイッチがオンされ、前記レリーズ釦を全押ししたとき、前記レリーズスイッチがオンされることを特徴とするレリーズ操作制御装置。
【請求項４】
請求項３に記載のレリーズ操作制御装置において、前記所定時間を計測するためにタイマ機能が設けられ、前記撮影距離が前記自動焦点調節手段の合焦可能な範囲外であるときに前記タイマ機能が警告表示の出力と共に始動され、前記タイマ機能による前記所定時間の計測が完了した後、前記レリーズスイッチのオンが有効化されることを特徴とするレリーズ操作制御装置。
【請求項５】
請求項１から４項までのいずれか１項に記載のレリーズ操作制御装置において、前記警告表示がランプの点滅によって行われ、前記撮影距離が前記自動焦点調節手段の合焦可能な範囲内であると判断された際に前記ランプが点灯されることを特徴とするレリーズ操作制御装置。
【発明の詳細な説明】
【０００１】
【発明の属する技術分野】
本発明はレリーズ時に撮影距離が適正でないと判断された際に警告表示を行うカメラのレリーズ操作制御装置に関する。
【０００２】
【従来の技術】
自動焦点機能（オートフォーカス機能）を持つカメラでは、最短撮影距離は通常は60センチメートル程度に設定される。従って、カメラと被写体像との間の距離即ち撮影距離が最短撮影距離（60センチメートル）以下では、被写体像は所謂ピンボケ像として記録されることになるので、従来のカメラでは、そのようなピンボケ像の記録を回避するために、測距時に撮影距離が最短撮影距離以下であると判断されると、レリーズスイッチを無効化して撮影動作を行えないようにすると共に撮影距離が最短撮影距離以下である旨を撮影者に対して報知するための警告表示を行うようにしている。
【０００３】
一方、被写体像の記録がたとえピンボケであっても、該被写体像の記録が望まれる場合もあり、このような要望に応えるために警告表示だけを行ってレリーズスイッチを有効とするカメラも知られている。しかし、そのようなカメラにあっては、撮影者が特にカメラの扱いに慣れていない初心者のような場合には、警告表示を確認せずに咄嗟にレリーズスイッチを操作したりすることがあり、このとき意図しないピンボケ像が記録されることになる。
【０００４】
【発明が解決しようとする課題】
以上述べたように、従来のカメラでは、ピントの合わない撮影が全くできないか、或いは意図しないピンボケ撮影が行われてしまうといういずれかの問題が伴うこととなる。
【０００５】
従って、本発明の目的はレリーズ時に撮影距離が適正でないと判断された際に警告表示を行うカメラのレリーズ操作制御装置であって、撮影距離がたとえ不適正であっても必要に応じて撮影動作を実行し得ると共に不用意にピンボケ撮影が行われることを防止するように構成されたレリーズ操作制御装置を提供することである。
【０００６】
【課題を解決するための手段】
【０００７】
本発明によれば、レリーズ時に撮影距離が不適正であると判断された際に警告表示を行うカメラのレリーズ操作制御装置において、警告表示中に所定時間以上レリーズ操作を持続したときに撮影動作を実行することが特徴とされる。
【０００８】
本発明によるレリーズ操作制御装置の好ましい実施形態では、レリーズ操作のためにレリーズ釦及びレリーズスイッチが設けられ、該レリーズ釦の押下によりレリーズスイッチが撮影動作を実行すべくオンされるようになっており、撮影距離が不適正であるときレリーズスイッチのオンが上述の所定時間にわたって無効化される。
【０００９】
また、本発明によるレリーズ操作制御装置の好ましい実施形態では、撮影距離を検出するために測距センサと、この測距センサを作動させる測距用スイッチとが設けられ、レリーズ釦を半押ししたとき、測距用スイッチがオンされ、レリーズ釦を全押ししたとき、レリーズスイッチがオンされる。好ましくは、上述の所定時間を計測するためにタイマ機能が設けられ、撮影距離が不適正であるときに該タイマ機能が警告表示の出力と共に始動され、タイマ機能による上述の所定時間の計測が完了した後、レリーズスイッチのオンが有効化される。警告表示についてはランプの点滅によって行うことが可能であり、撮影距離が適正であると判断された際に該ランプを点灯するようにしてもよい。
【００１０】
【発明の実施の形態】
次に、本発明によるレリーズ操作制御方式を組み込んだカメラの一実施形態について添付図面を参照して説明する。
【００１１】
図１ないし図３を参照すると、本発明によるレリーズ操作制御方式を組み込んだカメラの外観が示される。なお、図１、図２及び図３には、カメラがそれぞれ正面図、平面図及び背面図として示される。
【００１２】
カメラはカメラボディ１０から成り、図１に示すように、カメラボディ１０の正面のほぼ中央には突出部１１が形成され、この突出部１１内には撮影レンズを保持する鏡筒１２が配置される。本実施形態では、撮影レンズはズームレンズとして構成され、このため鏡筒１２はその光軸に沿って移動自在とされる。なお、図２から明らかなように、鏡筒１２は突出部１１内に収納された収納位置で図示されている。
【００１３】
図１に図示するように、カメラボディ１０の正面には鏡筒１２の上側にファインダ窓１４が配置され、一方カメラボディ１０の背面側にはファインダ覗き窓１６が設けられる。ファインダ窓１４とファインダ覗き窓１６との間にはファインダ光学系（図示されない）が設けられ、これにより被写体がファインダ覗き窓１６を通して観察されるようになっている。
【００１４】
カメラボディ１０の正面にはファインダ窓１４の左側（図１）に隣接してパッシブＡＦ（オートフォーカス）窓１８が配置され、このパッシブＡＦ窓１８の直下にはＡＦ補助投光窓１９が設けられる。パッシブＡＦ窓１８の内側には測距センサ（図示されない）が設けられ、またＡＦ補助投光窓１９からは投影パターンが被写体に向かって射出させられる。ＡＦ補助投光窓１９から射出された投影パターンは被写体上に像を形成し、これによりパッシブＡＦ窓１８の測距センサが測距を行って、被写体とカメラとの間の距離が計測される。また、カメラボディ１０の正面にはファインダ窓１４の右側に隣接して測光窓２０が配置され、この測光窓２０の内側には測光センサ（図示されない）が設けられ、この測光センサにより被写体からの光量が計測されるようになっている。
【００１５】
カメラボディ１０の正面には測光窓２０の右側（図１）に隣接してセルフタイマ用ランプ２２が配置される。また、セルフタイマ用ランプ２２の右側に隣接してストロボ発光窓２４が配置され、撮影動作時に必要に応じてストロボが発光させられ、その発光が該ストロボ発光窓２４から外部に射出させられる。更に、カメラボディ１０の正面にはセルフタイマ用ランプ２２とストロボ発光窓２４とのほぼ間でその両者の下方側に隣接してレリーズ信号受信窓２６が配置され、このレリーズ信号受信窓２６の内側にはリモートコントローラからのレリーズ信号を受信する受信器（図示されない）が設けられ、これにより撮影動作が遠隔操作されるようになっている。
【００１６】
図２に示すように、カメラボディ１０の上面の右側はレリーズ釦２８が配置され、このレリーズ釦２８の押下により、後述するような測光スイッチ及びレリーズスイッチが作動させられる。即ち、レリーズ釦２８が半押しされると、先ず測光スイッチがオンされ、レリーズ釦２８が全押しされると、レリーズスイッチがオンされるようになっている。また、カメラボディ１０の上面にはモード選択スイッチ釦３０及びドライブスイッチ釦３２が設けられる。更に、カメラボディ１０の上面にはズーム操作レバー３４が配置され、このズーム操作レバー３４の操作により、後述するような２つのズーム作動スイッチが選択的に作動させられるようになっている。更にまた、カメラボディ１０の上面のほぼ中央には液晶ディスプレイ（ＬＣＤ）パネル３６が配置され、このＬＣＤパネル３６にはカメラの種々の設定情報等が表示される。
【００１７】
図３に示すように、カメラボディ１０の背面にはファインダ覗き窓１６に隣接して２つの表示ランプ、即ち緑ランプ３８及び赤ランプ４０が配置され、緑ランプ３８及び赤ランプ４０はそれぞれ例えば緑色発光ダイオード及び赤色発光ダイオードから成る。また、緑ランプ３８及び赤ランプ４０の右隣には電源オン／オフ用スライダ４２が配置され、この電源オン／オフ用スライダ４２によって、後述される電源スイッチのオン／オフが操作される。更に、カメラボディ１０の背面側にはフィルムカートリッジの装填及び取出しのために開閉される裏蓋４４が設けられ、この裏蓋４４の開閉は裏蓋開放レバー４６の操作により行われ、この裏蓋開放レバー４６は後述するような裏蓋スイッチに連動させられる。
【００１８】
図４を参照すると、図１ないし図３に示したカメラの制御ブロック図が示される。同図において、参照符号４８はカメラの全体的な作動を制御する制御回路を示し、この制御回路４８はマイクロコンピュータから構成される。即ち、制御回路４８は中央処理ユニット（ＣＰＵ）、種々のルーチンを実行するためのプログラム、常数等を格納する読出し専用メモリ（ＲＯＭ）、データ等を一時的に格納する書込み／読出し自在なメモリ（ＲＡＭ）、入出力インターフェース（Ｉ／Ｏ）等を包含する。また、かかるマイクロコンピュータには種々のタイマ機能も含まれ、本実施形態では、そのうちの１つが後述するように減算カウンタとして利用される。
【００１９】
図４に示すように、制御回路４８には一連のスイッチ５０、５２、５４、５６、５８、６０、６２、６４及び６６が接続され、これらスイッチのオン／オフ動作については、以下で述べるようにカメラボディ１０に設けられたレリーズ釦２８、モード選択スイッチ釦３０、ドライブスイッチ釦３２、ズーム操作レバー３４、電源オン／オフ用スライダ４２及び裏蓋開放レバー４６等の操作により行われる。
【００２０】
スイッチ５０は電源スイッチであり、この電源スイッチ５０のオン／オフ動作は電源オン／オフ用スライダ４２によって行われる。即ち、図３では、電源オン／オフ用スライダ４２はＯＦＦ側に置かれているが、この電源オン／オフ用スライダ４２をＯＦＦ側からＯＮ側に移動させることにより、電源スイッチ５０がオンされる。電源スイッチ５０がオンされると、制御回路４８は動作を開始し、カメラの全ての機能が作動可能状態となり、ＬＣＤパネル３６も種々の表示事項を表示し得る状態となる。なお、制御回路４８は電源スイッチ５０のオフ時でもバッテリ６８から常時給電され、低消費電力状態下で必要最小限の動作が行われているが、電源スイッチ５０のオンにより、撮影動作に伴う必要な処理が開始される。
【００２１】
スイッチ５２は裏蓋スイッチであり、この裏蓋スイッチ５２は裏蓋開放レバー４６の操作により裏蓋４４を開放するとオフ状態となり、フィルムパトローネの装填後に該裏蓋４４を完全に閉じるとオン状態となる。裏蓋スイッチ５２がオンされると、フィルムの最初のフレームの頭出しが行われると同時に、フィルムパトローネより感度データがＤＸコード入力回路７０によって読み取られて制御回路４８に取り込まれる。
【００２２】
スイッチ５４は巻戻しスイッチであり、この巻戻しスイッチ５４がオンされると、フィルム給送回路７２によりフィルム給送モータ７４は巻戻し方向に駆動させられる。フィルム給送モータ７４の駆動によって、フィルムパトローネから撮影のために引き出されたフィルムが強制的に該フィルムパトローネ内に巻き戻される。なお、巻戻しスイッチ５４のオン／オフ動作を行うスイッチ釦はカメラボディ１０の底面側に設けられる。
【００２３】
スイッチ５６はストロボモード切換スイッチであり、このストロボモード切換スイッチ５６のオン／オフ動作はモード選択スイッチ釦３０によって行われる。モード選択スイッチ釦３０の押下によりストロボモード切換スイッチ５６がオンされる度毎に３つのストロボモード、即ち自動発光モード、強制発光モード及び発光禁止モードが順次切り換えられる。自動発光モードとは自動露出時にシャッタ速度が所謂手ブレ値以下とならないようにストロボを発光させるモードであり、強制発光モードとは撮影時に常にストロボを発光させるモードであり、発光禁止モードとは撮影時でのストロボの発光を禁止するモードである。
【００２４】
ストロボ発光はストロボ回路７６によって行われ、このストロボ回路７６はバッテリ６８から給電され、ストロボ発光及び給電については制御回路４８により適宜制御される。周知のように、ストロボ回路７６には、バッテリ６８からの給電電圧を昇圧させる昇圧回路と、この昇圧回路から高電圧で充電される充電コンデンサと、この充電コンデンサからの高電圧を印加させられる発光管（例えばキセノン管）と、この発光管への高電圧の印加を制御するトリガ回路（発光制御回路）とが含まれる。ストロボ回路７６の充電コンデンサへの充電中、赤ランプ４０が点滅させられ、該充電コンデンサへの充電が完了すると、赤ランプ４０は点滅状態から点灯状態に移行する。なお、撮影時にストロボ発光が伴うとき、即ち強制発光モードが選択されたとき、或いは自動発光モードでストロボ発光が必要とされたとき、ストロボ発光マークがＬＣＤパネル３６上に表示される。
【００２５】
スイッチ５８はドライブスイッチであり、このドライブスイッチのオン／オフ動作はドライブスイッチ釦３２によって行われる。ドライブスイッチ釦３２の押下によりドライブスイッチ５８がオンされる度毎にセルフタイマ機能、リモートコントロール機能及び通常レリーズ機能が順次切り換えられる。なお、セルフタイマ機能とはレリーズ釦２８の押下から所定時間経過後に撮影動作を行わせる機能であり、リモートコントロール機能とはリモートコントローラにより撮影動作を行わせる機能であり、通常レリーズ機能とはレリーズ釦２８の押下により即時に撮影動作を行わせる機能である。なお、セルフタイマ機能及びリモートコントロール機能のいずれかが選択されたときには、その選択された機能を示すマークがＬＣＤパネル３６上に表示される。セルフタイマ機能を選択してレリーズ釦２８を全押すると、セルフタイマ用ランプ２２が例えば７秒間にわたって点灯させられ、その後３秒間にわたって点滅させられた後に撮影動作が行われる。一方、リモートコントロール機能選択時、リモートコントローラから送信されたレリーズ信号はレリーズ信号受信窓２６を通してリモートコントロール受信回路７８によって受信され、次いで制御回路４８に取り込まれて撮影動作が行われる。
【００２６】
スイッチ６０及び６２はズーム・テレ・スイッチ及びズーム・ワイド・スイッチであり、ズーム操作レバー３４が図２において右側にシフトされると、ズーム・テレ・スイッチ６０がオンされ、ズーム操作レバー３４が図２において左側にシフトされると、ズーム・ワイド・スイッチ６２がオンされる。ズーム・テレ・スイッチ６０及びズーム・ワイド・スイッチ６２のいずれかがオンされると、ズームレンズ駆動回路８０によりズームモータ８２が駆動され、ズームレンズ（図示されない）が移動させられる。勿論、ズーム・テレ・スイッチ６０のオン時には、ズームレンズの焦点距離が望遠側に移動させられ、またズーム・ワイド・スイッチ６２のオン時には、ズームレンズの焦点距離が広角側に移動させられる。ズームレンズの移動範囲には、ズームレンズの位置を検出するコード板（図示されない）が設けられ、このコード板から読み取られたズームレンズ位置データはズームコード入力回路８４から制御回路４８に取り込まれる。
【００２７】
スイッチ６４及び６６はそれぞれ測光スイッチ及びレリーズスイッチであり、レリーズ釦２８（図２）が半押しされると、測光スイッチ６４がオンされ、レリーズ釦２８が全押しされると、レリーズスイッチ６６がオンされる。レリーズ釦２８の半押しにより測光スイッチ６４がオンされると、測光回路８６が駆動され、これにより測光が測光窓２０を通して行われる。また、測光スイッチ６４は測距スイッチとしても機能し、測光スイッチ６４のオンにより測距回路８８も同時に駆動され、これにより測距がパッシブＡＦ窓１８を通して行われる。この測距結果に従ってフォーカス駆動回路９０から駆動パルスがオートフォーカス駆動モータ９２に対して出力され、これによりオートフォーカス作動が行われる。なお、測距が適正に行われると、緑ランプ３８が点灯されるが、測距結果が不適正のときは、緑ランプ３８は点滅状態となる。一方、レリーズ釦２８の全押しにより、レリーズスイッチ６６がオンされると、シャッタ駆動回路９４から駆動パルスがシャッタ駆動モータ９６に対して出力され、これによりシャッタが所定時間開放されて撮影動作が行われる。
【００２８】
レリーズ釦２８の全押しによる撮影動作が完了すると、フィルム給送回路７２によりフィルム給送モータ７４が巻上げ方向に駆動され、フィルムパトローネからフィルムが一フレーム（１コマ）分だけ引き出される。一フレーム分のフィルムの引出しがフィルム給送信号入力回路９８により検出されると、フィルム給送回路７２によるフィルム給送モータ７４の駆動が停止される。
【００２９】
図５及び図６を参照すると、以上で述べたカメラの制御回路４８で実行されるメイン処理ルーチンのフローチャートが示される。このメイン処理ルーチンについては、何等の動作も行っていないカメラ待機状態では低消費電力化のために所定の時間間隔例えば200ms 毎に一ループが実行されるエンドレスルーチンとされ、その実行はバッテリ６８（図４）の装填或いは交換により開始される。一方、スイッチ操作がされたときは、スイッチ変化による割込みが発生し、所定の時間間隔とは無関係にメイン処理ルーチンが一ループだけ実行される。
【００３０】
先ず、ステップ５０１では、カメラの初期化が実行される。例えば、制御回路４８のＲＡＭや種々のカウンタ等の初期化が行われ、また電源スイッチ５０のオフ時にズームレンズが初期位置に置かれていない場合には該ズームレンズは初期位置まで戻される（図１及び図２）。
【００３１】
ステップ５０２では、巻戻しスイッチ５４がオンされたか否かが監視され、もし巻戻しスイッチ５４のオンが確認されると、ステップ５０３に進み、そこでフィルムの強制巻戻し処理が実行される。即ち、上述したように、巻戻しスイッチ５４がオンされると、フィルム給送モータ７４が巻戻し方向に駆動させられて、フィルムパトローネから撮影のために引き出されたフィルムが強制的に該フィルムパトローネ内に巻き戻される。ステップ５０２で巻戻しスイッチ５４がオフであると判断されると、ステップ５０２からステップ５０４に進む。
【００３２】
ステップ５０４では、裏蓋スイッチ５２の変化が監視される。例えば、裏蓋スイッチ５２がオフ状態からオン状態に移行したとき、新たなフィルムが装填されたと判断され、このときステップ５０４からステップ５０５に進み、そこで裏蓋開閉処理が実行される。裏蓋開閉処理ではフィルムの最初のフレームの頭出しが行われ、また裏蓋開閉処理には裏蓋の開放時にフィルムカウンタを“０”にクリアする処理も含まれる。裏蓋スイッチ５２の変化が認められないとき、ステップ５０４からステップ５０６に進む。
【００３３】
ステップ５０６では、電源がオン状態にあるか否かが判断される。なお、電源がオン状態とは、制御回路４８がソフト上現在電源がオンであると認識して処理を行っている状態を言う。もし電源がオン状態でなければ、ステップ５０７に進み、そこで電源スイッチ５０がオンか否かが判断される。電源スイッチ５０がオンであれば、ステップ５０８に進み、そこで電源オン処理が実行される。電源オン処理には、例えば撮影レンズを収納位置から撮影位置まで突出させることや測光スイッチ６４及びレリーズスイッチ６６の有効化が含まれる。
【００３４】
ステップ５０６で電源がオン状態であれば、ステップ５０６からステップ５０９に進み、そこで電源スイッチ５０がオフか否かが判断される。電源スイッチ５０がオフであれば、ステップ５１０に進み、そこで電源オフ処理が実行される。電源オフ処理には、例えば撮影レンズを撮影位置から収納位置に戻すことや測光スイッチ６４及びレリーズスイッチ６６の無効化が含まれる。ステップ５０９で電源スイッチ５０がオンであることが確認されると、ステップ５０９からステップ５１１に進む。
【００３５】
ステップ５１１では、ズーム・テレ・スイッチ６０がオンであるか否かが判断される。もしズーム・テレ・スイッチ６０がオンであれば、ステップ５１２に進み、そこでズームテレ処理が実行される。即ち、上述したように、ズーム操作レバー３４を右側にシフトさせることにより（図２）、ズーム・テレ・スイッチ６０がオンされて、ズームレンズがテレ側（望遠側）にズームモータ８２により移動させられる。ステップ５１１でズーム・テレ・スイッチ６０のオンが確認されないときには、ステップ５１１からステップ５１３に進む。
【００３６】
ステップ５１３では、ズーム・ワイド・スイッチ６２がオンであるか否かが判断される。もしズーム・ワイド・スイッチ６２がオンであれば、ステップ５１４に進み、そこでズームワイド処理が実行される。即ち、上述したように、ズーム操作レバー３４を左側にシフトさせることにより（図２）、ズーム・ワイド・スイッチ６２がオンされて、ズームレンズがワイド側（広角側）にズームモータ８２により移動させられる。ステップ５１３でズーム・ワイド・スイッチ６２のオンが確認されないときには、ステップ５１３からステップ５１５に進む。
【００３７】
ステップ５１５では、ドライブスイッチ５８がオンされたか否かが監視され、もしドライブスイッチ５８のオンが確認されると、ステップ５１６に進み、そこでドライブ設定処理が行われる。即ち、上述したように、ドライブスイッチ釦３２の押下によりドライブスイッチ５８がオンされる度毎に、通常レリーズ機能、セルフタイマ機能及びリモートコントロール機能が順次切り換えられ、ステップ５１６では、それぞれの機能に必要な処理が実行される。ステップ５１５でドライブスイッチ５８がオフであるときは、ステップ５１５からステップ５１７に進む。
【００３８】
ステップ５１７では、ストロボモード切換スイッチ５６がオンされたか否かが監視され、もしストロボモード切換スイッチ５６のオンが確認されると、ステップ５１８に進み、そこでモード設定処理が実行される。即ち、上述したように、スイッチ釦３０の押下によりストロボモード切換スイッチ５６がオンされる度毎に３つのストロボモード、即ち自動発光モード、強制発光モード及び発光禁止モードが順次切り換えられ、ステップ５１８では、それぞれのモードに必要な処理が実行される。ステップ５１７でストロボモード切換スイッチ５６がオフであるときは、ステップ５１７からステップ５１９に進む。
【００３９】
ステップ５１９では、測光スイッチ６４がオンされたか否かが、即ちレリーズ釦２８が半押しされたか否かが監視される。測光スイッチ６４のオンが確認されると、ステップ５２０に進み、そこで撮影処理が実行される。なお、撮影処理については図７及び図８のフローチャートを参照して後で詳しく説明する。ステップ５１９で測光スイッチ６４がオフであるときには、ステップ５２１に進む。
【００４０】
ステップ５２１では、リモートコントロール機能が選択されているか否かが判断される（ステップ５１５及び５１６）、もしリモートコントロール機能が選択されていれば、ステップ５２２に進み、そこで所定の遠隔操作チェック処理が行われる。次いで、ステップ５２３では、リモートコントローラからレリーズ信号を受信したか否かが監視され、レリーズ信号が受信されると、ステップ５２０に進み、そこで撮影処理（図７及び図８）が実行される。また、もしレリーズ信号が受信されない場合には、ステップ５２４に進み、そこでストロボ回路７６の充電コンデンサに対する充電が必要か否かが判断され、もし充電が必要であれば、ステップ５２５に進み、そこでメイン充電処理が実行されて、ストロボ回路７６の充電コンデンサに対する充電が開始される。一方、ステップ５２１でリモートコントロール機能が選択されていない場合には、ステップ５２１からステップ５２４にスキップする。
【００４１】
以上のようにカメラにバッテリ６８が装填されている限り、以上で述べたようなメイン処理ルーチンが所定の時間間隔(200ms) で常時実行される。
【００４２】
図７及び図８を参照すると、上述のメイン処理ルーチンのステップ５２０で実行される撮影処理ルーチンのフローチャートが示され、この撮影処理ルーチンについて以下に説明する。
【００４３】
ステップ７０１では、レリーズ釦２８の半押しによる測光スイッチ６４のオンにより測距処理が実行される（メイン処理ルーチンのステップ５１９）。次いで、ステップ７０２では、測距が適正に行われたか否かが判断される。即ち、測距により検出された撮影距離（カメラと被写体との間の距離）が所定距離以上であったか否かが判断される。例えば、カメラの最短撮影距離が60センチメートルと設定されている場合、測距により検出された撮影距離が60センチメートル以下であるとき、その測距は不適正と判断され、このときステップ７０２からステップ７０３に進み、そこで緑ランプ３８が点滅させられ、これにより撮影者に対して測距が不適正である旨が報知される。なお、ここでは、緑ランプ３８の点滅については、その消灯処理が実行するまで継続させられるようになっている（ステップ７１１及びステップ７１７）。
【００４４】
ステップ７０４では、制御回路４８のマイクロコンピュータ内の所定のタイマ機能が始動させられる。なお、かかるタイマ機能は減算カウンタとして機能するものであり、ステップ７０４では２秒に相当する初期値が設定される。一方、ステップ７０２で測距が適正に行われたと判断されると、ステップ７０２からステップ７０５に進み、そこで緑ランプ３８が点灯させられる。
【００４５】
ステップ７０６では、測光処理が実行されて、測光値が求められる。ステップ７０７では、その測光値に基づいてＡＥ（自動露出）演算処理が実行され、次いでステップ７０８では、ＡＥ演算処理の結果に基づいてストロボ発光が必要であるか否かが判断される。もしストロボ発光が必要とされるとき、ステップ７０９に進み、そこでストロボ回路７６に対する充電が行われる。なお、電源スイッチ５０のオン時或いはストロボの発光後にはストロボ回路７６の充電コンデンサに対する充電が一度だけ行われるが、その後充電の一部が放電されることになり、ステップ７０９で行われる充電はその放電分を補うためのものである。ステップ７０９での充電処理実行中、充電が完了するまでは赤ランプ４０が点滅させられ、充電が完了すると、赤ランプ４０は点滅状態から点灯状態に移行する。
【００４６】
ステップ７１０では、測光スイッチ６４がオン状態となっているか否か、即ちレリーズ釦２８の半押し状態が継続されているか否かが判断される。もし測光スイッチ６４がオフとされた場合、即ちレリーズ釦の半押し状態が解消された場合には、ステップ７１１に進み、そこで緑ランプ４６及び赤ランプ４８が消灯させられる。その後、図５及び図６のメイン処理ルーチンに戻る。
【００４７】
一方、ステップ７１０で測光スイッチ６４がオン状態であれば、ステップ７１２に進み、ステップ７０１の測距処理で求められた撮影距離が適正であったか否かが判断される。撮影距離が不適正であれば、即ち緑ランプ３８が点滅中であれば、ステップ７１３に進み、そこで上述のタイマ機能（ステップ７０４）による時間計測が２秒に到達したか否かが判断される。２秒の経過前であれば、ステップ７１０に戻り、同様なルーチンが繰り返されるので、測光スイッチ６４がオンである限り、緑ランプ４６の点滅は継続させられることになる。ステップ７１２で撮影距離が適正であると判断されたとき、或いはステップ７１３で上述のタイマ機能による時間計測が２秒に到達したことが確認されたとき、ステップ７１４に進み、そこでレリーズスイッチ６６がオンされたか否か、即ちレリーズ釦２８が全押しされたか否かが判断される。レリーズスイッチ６６がオンされないときには、再びステップ７１０に戻り、同様なルーチンが繰り返される。
【００４８】
以上のステップ７１０ないしステップ７１４の処理により、測距結果が適正でない場合には、レリーズスイッチ６６がたとえオンされても、そのオン信号は無効とされ、このとき撮影者に警告表示（緑ランプ３８の点滅）を気付かせることができる。従って、ピンボケ像の撮影を望まない場合には、レリーズ釦２８の押下を開放することにより、ピンボケ像の撮影は回避され得る。一方、測距結果が適正であるときには、レリーズスイッチ６６のオンより発せられるオン信号は無効とされることはなく、通常の撮影動作が実行される。
【００４９】
ステップ７１４でレリーズスイッチ６６のオンが確認されると、ステップ７１５に進み、そこでセルフタイマ機能が選択されているか否かが判断される。もしセルフタイマ機能が選択さている場合には、ステップ７１６に進み、そこでセルフタイマ処理が実行される。即ち、セルフタイマ用ランプ２２がレリーズスイッチ６６のオン後に７秒間にわたって点灯させられ、その後３秒間にわたって点滅させられる。一方、セルフタイマ機能が選択されていない場合には、ステップ７１５からステップ７１７に進み、そこで緑ランプ３８及び赤ランプ４０が消灯させられる。なお、セルフタイマ機能が選択されてる場合でも、レリーズスイッチ６６のオン後に10秒経過した後には、ステップ７１７に進み、そこで緑ランプ３８及び赤ランプ４０が消灯させられる。
【００５０】
ステップ７１８では、ストロボ発光が必要とされているか否かが判断され、もしストロボ発光が必要であれば、ステップ７１９に進み、そこでＦＭ演算処理が行われる。即ち、適正な露出を得るためのストロボ発光時のシャッタ口径が演算される。次いで、ステップ７２０では、ＡＥ演算処理結果（ステップ７０７）及びＦＭ演算処理結果（ステップ７１９）に基づいて露出制御処理が実行される。一方、ステップ７１８でストロボ発光が必要とされない場合には、ステップ７１８からステップ７２０に直ちに進み、そこでＡＥ演算結果に基づいて露出制御処理が実行される。いずれにしても、ステップ７２０で実行される露出制御処理では、シャッタ駆動モータ９６がシャッタ駆動回路９４によって駆動され、それぞれの演算結果に基づいて所定のシャッタ露出での撮影動作或いは所定のシャッタ口径でのストロボ発光が伴う撮影動作が実行される。
【００５１】
撮影動作の完了後、ステップ７２１に進み、そこでフィルム巻上げ処理が実行される。即ち、フィルムが一フレームだけ巻き上げられ、次のフレームが撮影位置まで引き出される。なお、上述したように、一フレーム分のフィルムの引出しについては、フィルム給送回路７２によりフィルム給送モータ７４を駆動し、フィルムの引出し量をフィルム給送信号入力回路９８によって検出することにより行われる。次いで、ステップ７２２では、フィルムの所定フレーム枚数が撮影されたか否かが判断され、もし所定フレーム枚数の撮影が完了した場合には、ステップ７２３に進み、自動巻戻し処理が実行され、これによりフィルムはパトローネに巻き戻される。なお、所定フレーム枚数の撮影が完了していない場合には、図５及び図６のメイン処理ルーチンに直ちに戻る。
【００５２】
【発明の効果】
以上の記載から明らかなように、本発明によれば、レリーズ時に撮影距離が適正でないと判断された場合には、警告表示（緑ランプの点滅）が所定時間出力されるので、撮影者に対して意図しないピンボケ撮影を行わせることを防止するだけでなく、撮影距離が不適正であっても必要に応じて撮影を行うことも可能である。
【図面の簡単な説明】
【図１】本発明によるレリーズ操作制御装置が組み込まれたカメラの正面図である。
【図２】図１に示すカメラの平面図である。
【図３】図１に示すカメラの背面図である。
【図４】図１に示すカメラの制御ブロック図である。
【図５】図４に示す制御回路で実行されるメイン処理ルーチンのフローチャートの一部分である。
【図６】図４に示す制御回路で実行されるメイン処理ルーチンのフローチャートの残りの部分である。
【図７】図４に示す制御回路で実行される撮影処理ルーチンのフローチャートの一部分である。
【図８】図４に示す制御回路で実行される撮影処理ルーチンのフローチャートの残りの部分である。
【符号の説明】
１０  カメラボディ
１２  鏡筒
１４  ファインダ窓
１６  ファインダ覗き窓
１８  パッシブＡＦ（オートフォーカス）窓
１９  ＡＦ補助投光窓
２０  測光窓
２８  レリーズ釦
３０  モード選択スイッチ釦
３２  ドライブスイッチ釦
３８  緑ランプ
４０  赤ランプ
４２  電源オン／オフ用スライダ
４８  制御回路
５０・５２・５４・５６・５８・６０・６２・６４・６６  スイッチ
【図１】
0004315511.tif 000002
【図２】
0004315511.tif 000003
【図３】
0004315511.tif 000004
【図４】
0004315511.tif 000005
【図５】
0004315511.tif 000006
【図６】
0004315511.tif 000007
【図７】
0004315511.tif 000008
【図８】
0004315511.tif 000009